(57)【要約】【課題】  強靭な釣り用スナップを弱い指先力で操作の出来、且つ、引掛け開きの広い釣り用スナップを提供すること。【解決の手段】  バネ用線材１と掛止板２とでなる釣り用スナップにおいて、掛止板２の両端に対向し、バネ用線材１を任意折り曲げでなるフック体３、３０の抜止曲３ａ付き始端を掛止板２の他の一辺に設けた巻部２ａにそれぞれ、回動自在に貫通し、折曲３ｂ，ｃ付き終端は掛止板２の他の一辺の折曲引掛部２ｂに、バネ反発Ｐ式係止可能での、片面開Ｔにて、掛け止め操作を可能にした構成にする。【選択図】図１
2011083269.tif 000002
【特許請求の範囲】
【請求項１】
バネ用線材１と掛止板２とでなる釣り用スナップにおいて、掛止板２の両端に対向し、バネ用線材１を任意折り曲げでなるフック体３、３０の抜止曲３ａ付き始端を掛止板２の一辺に設けた巻部２ａにそれぞれ、回動自在に貫通し、折曲３ｂ，ｃ付き終端は掛止板２の他の一辺の折曲引掛部２ｂに、バネ反発Ｐ式係止可能での、片面開Ｔにて、掛け止め操作を可能にしたことを特徴とする釣り用スナップ。
【請求項２】
前記する掛止板２に設けた片方のフック体３をリング状４で掛止板２の巻部２ａに巻き包み固定にしたことを特徴とする請求項１記載の釣り用スナップ。
【請求項３】
前記するフック体３、３０の抜止曲３ａ始端を掛止板２の一辺の巻部２ａに片面開ＴとスライドＴＴ自在で抜ける事無く貫通し、抜止曲３０ａと端曲部５付き終端は、掛止板２の他の一辺の巻部２０ａに出し入れスライド自在にバネ反発Ｐ式係止可能での片面開Ｔにて、掛け止め操作を可能にしたことを特徴とす請求項１記載の釣り用スナップ。
【請求項４】
前記する掛止板２に設けた片方のフック体３をリング状４０にし、掛止板２の巻部２ａに巻き包み固定したことを特徴とする請求項３記載の釣り用スナップ。
【発明の詳細な説明】
【技術分野】
【０００１】  この発明は釣り用スナップ（留め具）の改良に関し、詳しくは、釣り竿の仕掛で釣り用品の接続に使うスナップが釣り時に負荷する魚の変則過激で強引な引っ張りに依って、誘発するスナップ引掛け外れや破損などに集中する不測なトラブルを解決し、且つ使い良くする為に、比較的微弱な指先力で大物釣りで使う、強靭なスナップのこれらの開閉操作を安直に使い易い、釣り用スナップに関する。
【背景技術】
【０００２】  此の種の従来の技術として使われる釣り用スナップの多くは、クッションに接続されたサルカンＢのリング部ＡＡに一体連結しているスナップ付きサルカンＢや、ハリスの接続、ルアーＡ、錘、コマセかごやビシ等を吊るすに使うが、それらのスナップは大小様々な形状で構成し、其れに応じて、スナップは弱い操作バネ圧から治具を使わないと操作の出来ない硬いバネ用線材１でなる多様な釣り用スナップが市場で使われてい、そして、これらの構成は殆どが実用新案文献１での図５で述べる釣り用スナップの形態からなり、これらは、様々なバネ用線材１の太さと形状での構成で、１本のバネ用線材１を湾曲に折り曲げた２つのフック体３０Ａで其の一辺が、薄板状金属性の掛止板２Ａの一辺に設けた巻部２ａに貫通して固定され、更に、該掛止板２Ａの他の辺に設けた巻部２ａには片方のフック体３０Ａの始端が貫通して固定されサルカンＢのリング部ＡＡ等に接続し、これに直列して設けた折曲引掛部２ｂにはもう一つのフック体３０Ａの折曲３ｂ終端がバネ反発Ｐ係合によって掛け止め操作可能構成で、これらはバネ反発Ｐ方向に逆らって指先で押し圧しながら折曲引掛部２ｂの開口部から折曲３ｂを取り外して開いた折曲３ｂ始端の僅かな隙間に釣り用品ルアーＡ等のリング部ＡＡを差し込み着脱自在に接続する構成である。
【実用新案文献１】
【０００３】実用新案出願広告  昭３０−５８７４
【発明の開示】
【発明が解決しようとする課題】
【０００４】  しかしながら、従来技術での構成からなる釣り用スナップは、釣り用品での例えばルアーをフック体に引掛けて吊るし、水中での釣り時にルアーに食い付いた大物魚の強烈な引きのショックがバネ用線材で出来ているフック体に荷重が集中する為、フック体の彎曲変形と共に掛止板の折曲引掛部にバネ反発で掛け止められた折曲が滑り移動して折曲引掛部の開口部からルアーごと釣り上げた魚を逃がしてしまう等の課題が有る。【０００５】  また、フック体を強靭にする為バネ用線材を太くし変形での折曲の滑り移動を防ごうとすれば、折曲引掛部への折曲の指先操作に難が有り、治具を使わなければならない等の課題が有る。【０００６】  そしてまた、スナップ付きサルカンにおいては、サルカンのリング抜け破壊強度とサルカンに接続するスナップのフック体彎曲変形強度とは同等の破壊限界が理想的だが、かなりの差でフック体を大型にしない限り双方のバランスがとれず、市販での多くはフック体の破壊強度が低下し魚の過剰な引っ張り荷重での破損部位は、フック体に集中する等の課題が残る。其の為古くから、強靭なスナップで微弱な指先操作で用品の着脱の出来る釣り用スナップが強く要望されていた。
【課題を解決する為の于段】
【０００７】  この発明は、かかる課題を解決する為に、請求項１での発明は、図１での全体を示しての斜視図で述べるに、バネ用線材１と掛止板２とでなる釣り用スナップにおいて、掛止板２の両端に対向し、任意の折り曲げでなるフック体３、３０の抜止曲３ａ付き始端を掛止板２の一辺に設けた巻部２ａにそれぞれ、回動自在に貫通し、抜け防止の折曲３ｂ（３ｃ）付き終端は掛止板２の他の一辺の折曲引掛部２ｂに、バネ反発Ｐ式係止可能での、片面開Ｔにて、掛け止め操作の出来る、釣り用スナップを構成とする。
【０００８】  次に、請求項２での発明は、図２での全体を示しての斜視図で述べるに、前記する掛止板２に設けた片方のフック体３をリング状４で掛止板２の巻部２ａに巻き包み固定した、釣り用スナップを構成とする。
【０００９】  次に、請求項３での発明は、図３での全体を示しての斜視図で述べるに、前記するフック体３、３０の始端を掛止板２の一辺の巻部２ａに片面開ＴとスライドＴＴ自在に貫通し、抜止曲３０ａと端曲部５付き終端は、掛止板２の一辺の巻部２０ａに出し入れスライド自在にバネ反発Ｐ式係止可能での片面開Ｔにて、掛け止め操作の出来る釣り用スナップを構成する。
【００１０】  次に、請求項４での発明は、図４での全体を示しての斜視図で述べるに、前記する掛板止２に設けた片方はフック体３をリング状４０にし其の両端子を掛止板２の巻部２ａに巻き包み固定した、釣り用スナップを構成する。
【発明の効果】
【００１１】  本発明は上述の通り構成作用するので、次の優れた効果を奏する。即ち、請求項１での効果は両端のそれぞれのフック体が、個別に扉開式に広く開くので、用品の吊り下げ引掛け着脱が楽に出来、更には扉開式で引掛け操作をする為、僅かな外し開きのバネ反発で済み、強体でなるフック体の掛け外しに治具を使う事無く、指先操作の出来る釣り用スナップを提供出来る。
【００１２】  次に、請求項２での効果は、掛止板にリング状を設けることで、サルカンと一体化するスナップ式サルカンに使う等で、弱い操作力で強靭なスナップを具備したサルカンの相互の破損強度を均等にする事の出来る、利便性の高い釣り用スナップを提供出来る。
【００１３】  次に、引掛け構成が筒状の巻部に貫通してフック体は閉成体の為、魚の引き力で、掛け外れの発生する開口部の無い為、弱い操作力で強靭なニつのフック体でなる請求項３とフック体とリング状構成でのスナップ付サルカンに使う事で、引きでの掛け外れやフック体破損の無い小物から大物釣りまで１品で巾広く使える請求項４での、釣り用スナップを提供出来る。
【発明を実施するための最良の形態】
【００１４】  以下に図示の実施例に基づいて本発明を更に詳細に説明する。即ち、図１は本発明での第一実施例に基づく全体を示しての斜視図でバネ用線材１と掛止板２とでなる釣り用スナップにおいて、略長方形で薄板状の掛止板２の両端しに対向し、任意折り曲げでなる略Ｕの字形状でなる二つのフック体３、３０はそれぞれ所定の太さと硬さでのバネ用線材１の始端を略Ｕの字形状に折曲げでの抜止曲３ａが、掛止板３の一辺に沿うって並べて筒状の巻部２ａに緩やかに貫通した形でそれぞれのフック体３、３０が抜け外れる事無く回動自在に軸支され、一方の終端は略直角での折曲３ｂ或は鋭角曲げでの折曲３ｃでなり、これらは掛止板２の他の一辺に沿うって並べて設けた折曲引掛部２ｂの開口部に着脱自在にフック体３，３０の任意のバネ反発Ｐ式係止でなり、釣り用品の吊り下げ引掛けはこれらのフック体３、３０の折曲３ｂ，ｃを操作し、片面開Ｔによっての広い引掛けスペースを持つ釣り用スナップ構成とする。【００１５】  次に、図２は本発明での第ニ実施例に基づく全体を示しての斜視図で、前記する掛止板２に設けた片方のフック体３を任意形状での小さなめな略Ｕの字形状でのリング状４にし、その端子を掛止板２に設けた筒状の巻部２ａに貫通させ、抜ける事無く両端子を折曲げる等し、固定での構成とし、これら片面開Ｔの１個のフック体３（３０）と其れに対向して設けたリング状４での釣り用サルカンは主にリング状４がサルカンの具備するリング部に連結一体化することで、スナップ付サルカンとして使われる事が多い。【００１６】  次に、図３は本発明での第三実施例に基づく全体を示しての斜視図で、前記すバネ用線材１で成る、るフック体３，３０の始端を掛止板２の一辺の筒状の巻部２ａに片面開ＴとスライドＴＴ自在で抜ける事無ない形状で貫通し、そして略Ｕの字形状に曲げられたその先端を更に曲げで成る、端曲部５付きでの抜止曲３０ａでの引掛け用の終端は、掛止板２の一辺に設けたやや楕円形の筒状でなる巻部２０ａに出し入れスライド自在にバネ反発Ｐ式止めでの取り外しの出来る構成で、これらはフック体３、３０のバネ反発Ｐでの端曲部５を巻部２０ａから外し、持ち上げスライドＴＴで移動させ外れた端曲部５を片面開Ｔにしての釣り用品の吊るし引掛けが行なわれ、引掛けは再度端曲部５を元に戻し、巻部２０ａに差し込み引っ張り閉成体にする事で、釣り時に負荷する強烈な魚の引きで筒状の巻部２０ａ開口部に止められた端曲部５が全く掛け外れの無い構成とする事で、強靭なバネ用線材１でなるフック体２，３０を弱い指先力でバネ反発Ｐに逆らっての操作を可能にした構成である。【００１７】  次に、図４は本発明での第四実施例に基づく全体を示しての斜視図で、前記する掛止板２に設けた片方のフック体３を任意形状での小さめな略Ｕの字形状でのリング状４０にし、その端子を掛止板２に設けた筒状の巻部２ａに貫通させ、抜け止め付きでの固定構成にする事でスナップ付きサルカン等として使われる片面開Ｔでの強靭なバネ用線材１でなるフック体３，３０を弱い指先力での操作を可能にした構成とする。
【図面の簡単な説明】
【００１８】
【図１】  本発明に係わる第一実施例での全体を示し一部部分図を使っての斜視図である。
【図２】  本発明に係わる第ニ実施例での全体を示しての斜視図である。
【図３】  本発明に係わる第三実施例での全体を示しての斜視図である。
【図４】  本発明に係わる第四実施例での全体を示しての斜視図である。
【符合の説明】
【００１９】  １                バネ用線材
２、２Ａ          掛止板
２ａ，２０ａ      巻部
２ｂ              折曲引掛部
３，３０、３０Ａ  フック体
３ａ、３０ａ      抜止曲
３ｂ，ｃ          折曲
４、４０          リング状
５                端曲部
Ａ                ルアー
ＡＡ              リング部
Ｐ                バネ反発
Ｔ                片面開
【図１】
2011083269.tif 000003
【図２】
2011083269.tif 000004
【図３】
2011083269.tif 000005
【図４】
2011083269.tif 000006
【図４】
2011083269.tif 000007
【手続補正書】
【提出日】平成21年11月30日(2009.11.30)
【手続補正１】
【補正対象書類名】明細書
【補正対象項目名】００１８
【補正方法】変更
【補正の内容】
【００１８】
【図１】  本発明に係わる第一実施例での全体を示し一部部分図を使っての斜視図である。
【図２】  本発明に係わる第ニ実施例での全体を示しての斜視図である。
【図３】  本発明に係わる第三実施例での全体を示しての斜視図である。
【図４】  本発明に係わる第四実施例での全体を示しての斜視図である。
【図５】  従来技術での使用例での全体を示しての斜視図である。
【手続補正２】
【補正対象書類名】図面
【補正対象項目名】全図
【補正方法】変更
【補正の内容】
【図１】
2011083269.tif 000008
【図２】
2011083269.tif 000009
【図３】
2011083269.tif 000010
【図４】
2011083269.tif 000011
【図５】
2011083269.tif 000012